(57)【要約】非同期無線通信システムにおける映像呼び出し方法及び映像呼び出し方法を記録するためのコンピュータ読み取り可能な記録媒体が提供される。映像呼び出し方法は、ａ）着呼側において、着信呼び出し中に呼送信側移動局に伝送される映像を設定するステップと、ｂ）前記呼送信側移動局が発呼する際に、呼受信側移動局が映像呼び出しサービスに登録されているか否かを判別し、前記呼送信側移動局と呼受信側移動局との間にテレビ電話用のセッションをオープンする前に、前記呼送信側移動局と映像呼び出しサーバとの間にテレビ電話呼び出しチャネルを割り振るステップと、ｃ）前記呼受信側移動局用に設定された前記映像を前記テレビ電話チャネルを介して前記呼送信側移動局に伝送するステップとを含む。
2006523068.tif 000002
【特許請求の範囲】
【請求項１】
ａ）着呼側において、着信呼び出し中に呼送信側移動局に伝送される映像を設定するステップと、
ｂ）前記呼送信側移動局が発呼する際に、呼受信側移動局が映像呼び出しサービスに登録されているか否かを判別し、前記呼送信側移動局と呼受信側移動局との間にテレビ電話用のセッションをオープンする前に、前記呼送信側移動局と映像呼び出しサーバとの間にテレビ電話呼出チャネルを割り振るステップと、
ｃ）前記呼受信側移動局用に設定された前記映像を前記テレビ電話チャネルを介して前記呼送信側移動局に伝送するステップとを含む、非同期無線通信システムにおいて映像呼び出しサービスを提供するための映像呼び出し方法。
【請求項２】
ｄ）呼送信側移動交換局（ＭＳＣ）と呼受信側ＭＳＣとの間にテレビ電話呼を設定し、前記呼受信側ＭＳＣと前記呼受信側移動局との間にテレビ電話呼を設定するステップと、
ｅ）前記呼送信側ＭＳＣと前記映像呼び出しサーバとの間のテレビ電話呼を解除するステップと、
ｆ）前記呼送信側移動局と前記呼受信側移動局との間の通信を可能にし、前記呼送信側移動局と前記呼受信側移動局とに映像を伝送するステップとをさらに含む請求項１に記載の方法。
【請求項３】
ｄ）前記呼受信側移動局用に事前に設定された音データを、着信呼び出し中に、前記設定された映像と共に前記呼送信側移動局に伝送するステップをさらに含む請求項１に記載の方法。
【請求項４】
前記テレビ電話が３Ｇ−３２４Ｍテレビ電話規格に基づくものである請求項３に記載の方法。
【請求項５】
前記呼送信側移動局が、着信呼び出し中に、若しくは着信呼び出し中及び通信中の両方に、前記映像を単独で若しくは前記音データと共に表示するか、又は、前記呼送信側移動局が、着信呼び出し中に、若しくは着信呼び出し中及び通信中の両方に、前記映像を前記呼送信側移動局に標準的に提供された音データと共に表示する請求項１に記載の方法。
【請求項６】
前記映像がキャラクタ画像、自然な画像、及び背景画像を含む静止画像又は動画像である請求項５に記載の方法。
【請求項７】
前記映像が、着信呼び出し中に、若しくは着信呼び出し中及び通信中の両方に、前記呼送信側移動局にトラフィックチャネルを非同期ネットワーク内に入れさせるチャネル割り当てメッセージを用いることにより、前記呼送信側移動局に伝送される請求項４に記載の方法。
【請求項８】
前記チャネル割り当てメッセージが非同期ネットワークから受信された場合、前記呼送信側移動局が前記映像をデコードするよう準備し、前記映像を着信呼び出し中に単独で若しくは前記音データと共に表示するか、又は、前記映像を前記呼送信側移動局に標準的に提供された前記標準音データと共に表示し、さらに前記呼送信側移動局が、前記呼送信側移動局の画面上に表示された前記映像を前記呼送信側移動局が通話を開始する場合に自動的に消去する、前記映像を通話の終了まで維持する、又は前記映像を着信呼び出し中にメモリ内に格納する請求項７に記載の方法。
【請求項９】
映像呼び出し方法を実施するプログラムを記録するためのコンピュータ読み取り可能な記録媒体であって、前記方法が、
ａ）着呼側において、着信呼び出し中に呼送信側移動局に伝送される映像を設定するステップと、
ｂ）前記呼送信側移動局が発呼する際に、呼受信側移動局が映像呼び出しサービスに登録されているか否かを判別し、前記呼送信側移動局と呼受信側移動局との間にテレビ電話用のセッションをオープンする前に、前記呼送信側移動局と映像呼び出しサーバとの間にテレビ電話呼出チャネルを割り振るステップと、
ｃ）前記呼受信側移動局用に設定された前記映像を前記テレビ電話チャネルを介して前記呼送信側移動局に伝送するステップとを含むコンピュータ読み取り可能な記録媒体。
【請求項１０】
ｄ）呼送信側移動交換局（ＭＳＣ）と呼受信側ＭＳＣとの間にテレビ電話呼を設定し、前記呼受信側ＭＳＣと前記呼受信側移動局との間にテレビ電話呼を設定するステップと、
ｅ）前記呼送信側ＭＳＣと前記映像呼び出しサーバとの間のテレビ電話呼を解除するステップと、
ｆ）前記呼送信側移動局と前記呼受信側移動局との間の通信を可能にし、前記呼送信側移動局と前記呼受信側移動局とに映像を伝送するステップとをさらに含む請求項９に記載のコンピュータ読み取り可能な記録媒体。
【請求項１１】
ｄ）前記呼受信側移動局用に事前に設定された音データを、着信呼び出し中に、前記設定された映像と共に前記呼送信側移動局に伝送するステップをさらに含む請求項９に記載のコンピュータ読み取り可能な記録媒体。
【発明の詳細な説明】
【技術分野】
【０００１】
本発明は、非同期無線通信システム用の映像呼び出し（ｖｉｄｅｏ  ａｌｅｒｔｉｎｇ）方法、及びその方法を実施するプログラムを記録するためのコンピュータ読み取り可能記録媒体に関する。より詳細には、次世代非同期無線通信において着信呼び出し（ｃａｌｌ  ａｌｅｒｔｉｎｇ）が発生する場合に、着呼側によって事前に設定された音楽が単独で、又は発呼側の呼送信側移動局の画面上に伝送される静止画像若しくは動画像等の映像と共に、発呼側の送信側移動局（ＭＳ）に伝送される。音楽等の音データを呼送信側移動局に伝送するサービスは音呼び出しサービスと呼ばれ、映像データを呼送信側移動局の画面上に伝送するサービスは映像呼び出しサービスと呼ばれる。音呼び出しサービスは、サウンドカラーリングサービス（ｓｏｕｎｄ  ｃｏｌｏｒ  ｒｉｎｇ  ｓｅｒｖｉｃｅ）とも呼ばれ、映像呼び出しサービスはイメージカラーリングサービスとも呼ばれる。非同期無線通信システムは、３ｒｄ  Ｇｅｎｅｒａｔｉｏｎ  Ｐａｒｔｎｅｒｓｈｉｐ  Ｐｒｏｊｅｃｔｓ（３ＧＰＰ）、Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ（ＵＭＴＳ）、及びＷｉｄｅｂａｎｄ  Ｃｏｄｅ  Ｄｉｖｉｓｉｏｎ  Ｍｕｌｔｉｐｌｅ  Ａｃｃｅｓｓ（Ｗ−ＣＤＭＡ）を含む。
【背景技術】
【０００２】
現在の無線通信システムでは、呼受信側移動局（ＭＳ）に特定の音を単独で、又は特定の文字と共に設定及び提示することが可能であり、これはコールネームプレゼンテーション（Ｃａｌｌ  Ｎａｍｅ  Ｐｒｅｓｅｎｔａｔｉｏｎ：ＣＮＡＰ）と呼ばれる。現時点の国際標準のネットワーク内で生成された音が使用され得るが、ほとんどの場合は、営利目的の通信サービスプロバイダ及び移動局製造業者が、彼らの提供する移動局の着信音を設定及び使用する。
【０００３】
しかしながら、現在の移動局のほとんどが簡単なマルチメディア機能を備えている。将来は、すべての移動局が、Ｍｏｖｉｎｇ  Ｐｉｃｔｕｒｅ  Ｅｘｐｅｒｔｓ  Ｇｒｏｕｐ（ＭＰＥＧ）−４を採用したビデオオンデマンド（ＶＯＤ）用の機能、及びディスプレイフォン（ｄｉｓｐｌａｙ  ｐｈｏｎｅ）用の機能を有するであろう。
【０００４】
こうした事実にもかかわらず、従来の無線通信ネットワークは、大きい映像サイズの問題のために、着信呼び出し用の映像を伝送することができなかった。更に、音声中心の回線ネットワークとパケットデータ中心のパケットネットワークとが互いに独立して動作するため、映像呼び出しサービス等のマルチメディアサービスに対する加入者の要求はほとんど満たされていない。
【０００５】
移動局に追加されるマルチメディア機能の増大及び機能の強化に対応するために、着信呼び出し中に、静止画像若しくは動画像等の映像データが、多様な色彩の映像を表示することができる移動局の画面に単独で、又は着信音と共に伝送されれば有利であろう。着呼側は、自分自身で事前に設定した写真を発呼側に伝送することにより、自分自身の写真を最初に発呼側に表示することができる。この方法では、着呼側が自分専用のキャラクタを使用して自分自身を表現することができる。現在、この目標を達成できる新しい方法が切実に求められている。
【発明の開示】
【発明が解決しようとする課題】
【０００６】
従って、本発明の一目的は、非同期無線通信において、着信呼び出し中に、静止画像若しくは動画像等の映像データを単独で、又は音楽等の音データと共に伝送するための映像呼び出し方法と、映像呼び出し方法を実施するプログラムを記録するためのコンピュータ読み取り可能な記録媒体とを提供することである。映像及び音データは、着呼側により事前に設定される。
【課題を解決するための手段】
【０００７】
本発明の一態様によると、ａ）着呼側において、着信呼び出し中に呼送信側移動局に伝送される映像を設定するステップと、ｂ）前記呼送信側移動局が発呼する際に、呼受信側移動局が映像呼び出しサービスに登録されているか否かを判別し、前記呼送信側移動局と呼受信側移動局との間にテレビ電話用のセッションをオープンする前に、前記呼送信側移動局と映像呼び出しサーバとの間にテレビ電話呼出チャネルを割り振るステップと、ｃ）前記呼受信側移動局用に設定された前記映像を前記テレビ電話チャネルを介して前記呼送信側移動局に伝送するステップとを含む、非同期無線通信システムにおいて映像呼び出しサービスを提供するための映像呼び出し方法が提供される。
【０００８】
本発明の他の態様によると、映像呼び出し方法を実施するプログラムを記録するためのコンピュータ読み取り可能な記録媒体であって、前記方法が、ａ）着呼側において、着信呼び出し中に呼送信側移動局に伝送される映像を設定するステップと、ｂ）前記呼送信側移動局が発呼する際に、呼受信側移動局が映像呼び出しサービスに登録されているか否かを判別し、前記呼送信側移動局と呼受信側移動局との間にテレビ電話用のセッションをオープンする前に、前記呼送信側移動局と映像呼び出しサーバとの間にテレビ電話呼出チャネルを割り振るステップと、ｃ）前記呼受信側移動局用に設定された前記映像を前記テレビ電話チャネルを介して前記呼送信側移動局に伝送するステップとを含むコンピュータ読み取り可能な記録媒体が提供される。
【０００９】
従来の無線通信ネットワークでは、大きい映像サイズのために、着信呼び出し中に映像を伝送することが困難である。無線通信ネットワークが進歩するにつれて、符号分割多重アクセス（ＣＤＭＡ）−２０００システムにおいて、音声とデータとの同時伝送（Ｓｉｍｕｌｔａｎｅｏｕｓ  Ｖｏｉｃｅ  ａｎｄ  Ｄａｔａ：ＳＶＤ）が可能となってきた。３ｒｄ  Ｇｅｎｅｒａｔｉｏｎ  Ｐａｒｔｎｅｒｓｈｉｐ  Ｐｒｏｊｅｃｔｓ（３ＧＰＰ）、Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ（ＵＭＴＳ）、及び広帯域ＣＤＭＡ（Ｗ−ＣＤＭＡ）のシステムでは、伝送レートを増大することにより、着信呼び出し中に映像を伝送するための機能が移動局に備えられている。
【００１０】
本発明によると、呼受信側移動局は、音声中心の回線ネットワークとパケットデータ中心のパケットネットワークとを接続することにより、並びにパケットネットワーク内にサーバ、即ち映像呼び出しサーバを構築することにより、静止画像及び動画像を含む映像を着信呼び出し中に呼送信側移動局に伝送することができる。特に、Ｗ−ＣＤＭＡの場合、回線ネットワークとパケットネットワークとの間に相互インターフェースがあると、着信呼び出し中に呼受信側移動局から呼送信側移動局へ映像を伝送することがより容易となる。
【００１１】
言い換えると、本発明の、Ｗ−ＣＤＭＡの国際標準で定義された３Ｇ−３２４Ｍテレビ電話システムでは、送信側移動局（発呼側）と受信側移動局（着呼側）との間にセッションをオープンする前に、受信側移動局によって定義されたマルチメディア情報（例えば、受信側移動局によって事前に決定された静止画像及び動画像）が送信側移動局に伝送される。サービスを提供するために、コアネットワークの動作の一部が修正され得る。
【００１２】
本発明の上記及び他の目的並びに特徴は、添付の図面と共に示された好ましい実施形態の以下の説明から明らかになるであろう。
【発明を実施するための最良の形態】
【００１３】
本発明の他の目的及び態様は、以下で述べられる、添付の図面を参照した実施形態の以下の説明から明らかになるであろう。
【００１４】
図１は、本発明が適用される非同期無線通信システムを示す例示的なブロック図である。移動局（ＭＳ）１１及び１８は、携帯情報端末（ＰＤＡ）、ラップトップコンピュータ、セルラー電話、及びパーソナル通信サービス（ＰＣＳ）電話等の無線通信端末を含み、Ｉｎｔｅｒｎａｔｉｏｎａｌ  Ｍｏｂｉｌｅ  Ｔｅｌｅｃｏｍｍｕｎｉｃａｔｉｏｎ（ＩＭＴ−２０００）及びＵｎｉｖｅｒｓａｌ  Ｍｏｂｉｌｅ  Ｔｅｌｅｃｏｍｍｕｎｉｃａｔｉｏｎ  Ｓｅｒｖｉｃｅ（ＵＭＴＳ）等の次世代無線通信サービス用の端末を含む。移動局１１及び１８は、例えば静止画像若しくは動画像等の映像を単独で、又は着信音と共に、表示することができる。特に、Ｗ−ＣＤＭＡシステムは、回線ネットワークと、例えば汎用パケット無線サービス（Ｇｅｎｅｒａｌ  Ｐａｃｋｅｔ  Ｒａｄｉｏ  Ｓｅｒｖｉｃｅ：ＧＰＲＳ）ネットワーク等のパケットネットワークとの間のインターフェースを含み、移動局１１及び１８は、回線ベースの音声通信サービス及びパケットサービスの両方を提供することができる。
【００１５】
ここで、回線ネットワークは音声通信サービスを提供するためのネットワークであり、基地局１２及び移動交換局を含む。ＧＰＲＳネットワークはパケットサービスを提供するためのネットワークであり、無線基地局関連装置１２、例えばサービングＧＰＲＳサポートノード（ＳＧＳＮ）／ゲートウェイＧＰＲＳサポーティングノード（ＧＧＳＮ）１６等のパケット交換ユニットを含む。
【００１６】
無線基地局（ＢＴＳ）関連装置１２は、ＢＴＳ及びＢＴＳシステムコントローラ（ＢＳＣ）を含む。ＢＴＳ関連装置１２は、移動局１１、１８と、移動交換局（ＭＳＣ）との間で音声サービスを行い、移動局１１、１８と、ＳＧＳＮ／ＧＧＳＮ１６との間でデータを伝送し、バッファリングを行う。ＩＰネットワーク内でデータが移動局１１及び１８に伝送される際には、ページングも行う。以下に、非同期無線通信システムの各要素の機能について説明する。
【００１７】
ＢＴＳは、回線ベースの電話サービス及びパケットサービスの機能を有し、無線信号若しくはトラフィックを回線ネットワーク若しくはＧＰＲＳネットワークに伝送するか、又は、回線ネットワークの音声データ若しくはＧＰＲＳネットワークのパケットデータを移動局１１、１８に伝送する。
【００１８】
ＢＳＣは、従来の移動交換局（ＭＳＣ）１３の機能に対応する。ＢＳＣは、呼の処理及び信号形式、移動度、並びに移動局に関するトラフィックについて、１つ又は複数のＢＴＳを制御及び管理する。
【００１９】
パケット交換ユニットは、例えば広帯域符号分割多重アクセス（Ｗ−ＣＤＭＡ）等の第３世代ネットワークではサービングＧＰＲＳ（汎用パケット無線サービス）サポートノード、第２世代ＣＤＭＡネットワークではパケットデータサポートノード（ＰＤ）と呼ばれる。パケットネットワークゲートウェイは、第３世代ＣＤＭＡネットワークではゲートウェイＧＰＲＳサポートノード（ＧＧＳＮ）、第２世代ＣＤＭＡネットワークではパケットデータゲートウェイノード（ＰＤＧＮ）と呼ばれる。
【００２０】
ＳＧＳＮ１６はパケットサービスを提供するパケットネットワークのサービスノードであり、ＢＴＳとパケットネットワークゲートウェイとの間で信号及びトラフィックの伝送を行う。ＳＧＳＮ１６は、ユーザについての移動度管理及びセッション管理を行い、ＧＰＲＳトンネリングプロトコル（ＧＴＰ）の端点（ｅｎｄ  ｐｏｉｎｔ）として動作する。
【００２１】
ＧＧＳＮ１６は、ＧＰＲＳネットワークのゲートウェイ機能及び映像呼び出しサーバ１７とのインターフェースを行う。
【００２２】
ホームロケーションレジスタ（ＨＬＲ）１４は、加入者情報、ＩＰ優先順、ドメイン間サービスのリソース、及びドメイン間サービス用の権限の使用の有無に関する情報を有する。
【００２３】
無線通信管理サーバ１５は、認証、認可及びアカウンティング（ＡＡＡ）、加入者認証、権限検証、及び課金等の機能を担当する。無線通信管理サーバ１５は、ＳＧＳＮ／ＧＧＳＮ１６によって要求される認証要求及び課金メッセージを処理する。
【００２４】
以下に、Ｗ−ＣＤＭＡ等の本発明の非同期無線通信システムにおいて、イメージカラーリングサービスとも呼ばれ得る映像呼び出しサービスについてさらに詳細に説明する。
【００２５】
本発明の映像呼び出しサービスを提供するために、ＭＳＣ１３は、非同期無線通信システムにおける呼送信側と着呼側との間に音声サービスを提供する。ＨＬＲ１４は、移動端末加入者の位置情報及び付加価値サービス情報を維持管理する。
【００２６】
一方で、本発明の映像呼び出しサービスを提供するために、ＳＧＳＮ／ＧＧＳＮ１６は非同期無線通信システムにおけるデータサービスを提供し、映像呼び出しサーバ１７は本発明の映像呼び出しサービスを提供する。
【００２７】
本発明の映像呼び出しサービスを提供するために、コンテンツ提供サーバ２０は、ウェブサーバ２１、ワイヤレスアプリケーションプロトコル（ＷＡＰ）サーバ２２、及び自動応答サービス（ＡＲＳ）２３を介して着呼側を映像呼び出しサーバ１７にアクセスさせ、着呼側は、着呼側が呼を受信すると、呼送信側の移動局１１の画面上に表示されるコンテンツを選択することができる。
【００２８】
従って、受信側移動局１８又はパーソナルコンピュータ（ＰＣ）等のユーザ端末を用いて非同期無線通信ネットワーク又はインターネットを介して映像呼び出しサーバ１７にアクセスすることにより、並びに、発呼側の送信側移動局１１に伝送される静止画像又は動画像をあらかじめ設定することにより、着呼側は、着信呼び出し中に、例えば静止画像又は動画像等の或る映像を送信側移動局１１の画面に伝送及び表示することができる。ウェブサーバ２１、ＷＡＰサーバ２２、及びＡＲＳ２３を使用するインターネットを介したアクセスには多くの方法がある。
【００２９】
初めに、一般的な通信システムにおける映像呼び出しサービスについて説明し、次に、テレビ電話規格である３Ｇ−３２４Ｍに基づくシステムにおける映像呼び出しサービスについて説明する。
【００３０】
映像データを伝送する映像呼び出しサーバ１７は、ＳＧＳＮ／ＧＧＳＮ１６にアクセスするためにＩＰネットワークにアクセスするか、又はＨＬＲ１４（若しくはＭＳＣ１３）にアクセスするためにＮｏ．７信号ネットワークにアクセスする。
【００３１】
映像呼び出しサービスは、ＭＳＣ１３がＨＲＬ１４に加入者情報を問い合わせることにより開始される。加入者情報は映像呼び出しサーバ１７に伝送され、映像呼び出しサーバ１７は、加入者情報に基づいてＳＧＳＮ／ＧＧＳＮ１６を介して送信側移動局１１に映像データを伝送する。
【００３２】
本発明の映像呼び出しサービスは、無線伝送セクションにおいて同時の音声・データ（ＳＶＤ）伝送が可能であるという前提に基づいている。言い換えると、本発明の映像呼び出しサービスを提供するために、無線伝送セクションにおいてデータと音声とが同時に伝送され得る。
【００３３】
呼送信側移動局１１がＭＳＣ１３を介して呼受信側移動局１８を呼び出した場合、ＭＳＣ１３は、加入者の位置情報及び付加価値サービス等の移動局１１及び１８の機能をチェックし、ＳＶＤ機能の提供方法であるＶＰモードをＢＴＳに通知する。ＢＴＳ関連装置１２のＢＴＳは、着信呼び出し中に映像が伝送されたことを確認する。その後、ＢＴＳは呼受信側移動局１８をページングし、ＳＧＳＮ／ＧＧＳＮ１６とのインターフェースを介して通信回線を割り当てる。
【００３４】
ＭＳＣ１３はＢＴＳからの応答を受け取り、その後、ＨＬＲ１４又はＭＳＣ１３を介して着信呼び出し中に映像を処理する映像呼び出しサーバ１７と協働する。映像呼び出しサーバ１７は、着呼側によって決定された、事前に設定された映像をＳＧＳＮ／ＧＧＳＮ１６に伝送する。ＳＧＳＮ／ＧＧＳＮ１６は、ネットワーク同期によりＢＴＳとセッションを形成する。
【００３５】
最後に、ＢＴＳはＭＳＣ１３で生成された着信呼び出し音及び他の呼を処理する。ＳＧＳＮ／ＧＧＳＮ１６は、着呼側によって決定された映像である映像情報を、映像呼び出しサーバ１７から受信した後に伝送する。
【００３６】
呼送信側移動局１１とＳＧＳＮ／ＧＧＳＮ１６との間にＳＶＤデータチャネルが割り当てられ、映像呼び出しサーバ１７は着呼側によって事前に決定された映像をＳＧＳＮ／ＧＧＳＮ１６に伝送する。決定された映像は、ＳＶＤデータチャネルを介して呼送信側移動局１１に伝送される。
【００３７】
映像呼び出しの間、ＳＧＳＮ／ＧＧＳＮ１６と呼送信側移動局１１との間に割り当てられたＳＶＤデータチャネルが使用される。これは、映像呼び出し用の映像データのサイズが大きく、従来のＭＳＣ１３で処理された制御信号では映像を伝送するのに十分なメッセージを提供できないためである。
【００３８】
呼送信側移動局１１の画面上に表示される映像は、サイズの小さい自然な映像を表示することが可能なウェーブレットビデオ（ｗａｖｅｌｅｔ  ｖｉｄｅｏ）及びＳｉｍｐｌｅ  Ｉｍａｇｅ  Ｓｅｒｖｉｃｅ（ＳＩＳ）の映像等の、単純な形式であるべきである。ＳＩＳは、例えばアニメーションフィルムからのキャラクタ及びアバター等の単純な画像を送信／受信するサービスである。このサービスは、現在韓国で提供中である。呼送信側移動局１１がＭｏｖｉｎｇ  Ｅｘｐｅｒｔｓ  Ｇｒｏｕｐ（ＭＰＥＧ）−４の機能を有する場合、ＭＰＥＧビデオが再生されてもよい。各移動局１１又は１８は、異なる映像処理機能、並びに異なるサイズ及びカラーの液晶表示装置（ＬＣＤ）を有する。従って、映像呼び出しサーバ１７はこれらの相違に対処しなければならない。
【００３９】
いくつかの移動局１１及び１８がストリーミングデータを伝送することができる。これらの移動局１１及び１８は、自然な映像を伝送及び受信する余裕がある。即ち、移動局１１及び１８は、ＭＰＥＧレイヤ−４（ＭＰ４）形式及び３ＧＰ形式等の３ＧＰＰ規格マルチメディア形式のデータを処理することができる。
【００４０】
着呼側の移動局が設定済みの着信音を有する場合、音データと映像呼び出しサーバ１７から伝送された映像とを処理することができる。即ち、着信呼び出し中に、サウンドカラーリングサービスと呼ばれる、着呼側によって設定された音データが、事前に設定された映像と共に呼送信側移動局１１に伝送される。サウンドカラーリングサービスとも呼ばれる音データ、即ち音を伝送するサービスは、音呼び出しサービスと呼ばれる。音呼び出しサービスは、映像呼び出しサービスとは独立して、呼送信側移動局１１に提供され得る。
【００４１】
３Ｇ−３２４Ｍプロトコルについて、図２を参照して説明する。
【００４２】
３Ｇ−３２４Ｍプロトコルは有線ネットワークにおけるテレビ電話用の規格であり、ＩＴＵ−Ｔによって定義されたＨ．３２４を補足するための規格である。３Ｇ−３２４Ｍプロトコルは、ＵＭＴＳ移動通信の標準化を行う３ＧＰＰによって定められている。言い換えると、３Ｇ−３２４Ｍはビデオ／オーディオコーデック、多重化、伝送プロトコル、及びアダプテーションを定義する。
【００４３】
３Ｇ−３２４Ｍのビデオコーデックは、標準でＨ．２６３を定義し、ＭＰＥＧ−４を追加で推奨する。３Ｇ−３２４Ｍのオーディオコーデックは、３ＧＰＰによって定義される基本コーデックである適応マルチレート（ＡＭＲ）コーデックを定義する。
【００４４】
３Ｇ−３２４Ｍは回線ネットワーク用のテレビ電話プロトコルであるため、３Ｇ−３２４Ｍは、ＩＴＵ−Ｔによって定義されたＨ．２２３に基づいて多重化及び逆多重化を行う。通信開始時又は通信中の制御は、Ｈ．２４５に基づいて行われる。
【００４５】
テレビ電話の呼設定の場合、送信側移動局は無線ベアラ（ｂｅａｒｅｒ）の呼を設定し、その後３Ｇ−３２４Ｍの呼を設定する。Ｗ−ＣＤＭＡシステムは、トランスペアレントな接続タイプである非制限デジタル情報（ＵＤＩ）を回線データとして使用する。テレビ電話の場合、回線データの送信／受信レートは、Ｑｕａｒｔｅｒ  Ｃｏｍｍｏｎ  Ｉｎｔｅｒｍｅｄｉａｔｅ  Ｆｏｒｍａｔ（ＱＣＩＦ）（１７６×１４４）で対称的に６４ｋｂｐｓである。言い換えると、毎秒１０フレームが伝送される。
【００４６】
３Ｇ−３２４Ｍテレビ電話を設定するために、ＵＭＴＳでは無線ベアラが６４ｋｂｐｓ回線データとして設定され、Ｈ．２４５に基づいてピアツーピアで制御情報がネゴシエートされる。公衆交換電話網とインターフェースするために、呼は、コアネットワークの回線交換ドメイン内でＮｏ．７信号方式に基づいて処理される。
【００４７】
映像呼び出しサービスを提供するために、映像呼び出しサーバ１７はＮｏ．７又はＢＩＣＣに基づいて従来のＭＳＣ１３とインターフェースすることができる。ＢＩＣＣはソフトスイッチ間での信号プロトコルであり、様々なマルチメディアデータを有するベアラ情報を効率的に伝送する。
【００４８】
ユーザ情報を格納しているデータベースであり、ＭＳＣ１３とのインターフェースであるＨＬＲ１４は、ユーザが映像呼び出しサービスに加入しているか否かに関する情報を格納する。ユーザが映像呼び出しサービスに加入している場合、ＭＳＣは映像呼び出しサーバ１７に呼を伝送する。３Ｇ−３２４Ｍのセッションが受信側移動局１８でオープンされ、呼は送信側ＭＳＣから受信側ＭＳＣに対して設定される。
【００４９】
映像呼び出しサービスを提供するために、送信側ＭＳＣは３Ｇ−３２４Ｍの呼を映像呼び出しサーバ１７に、次に送信側移動局に対して設定する。映像呼び出しサーバ１７は、３Ｇ−３２４Ｍの機能を有する移動局に関する情報を含む。
【００５０】
一般に、エンドツーエンドテレビ電話用の呼を設定するにはかなりの時間がかかる。しかしながら本発明では、コアネットワークのＭＳＣは呼の設定時間を減らすように呼を処理する。この場合、移動局が修正される必要はなく、逆に、呼設定ユニットが映像呼び出しサーバ１７から送信側移動局１１へと変更される。高速でアクセスするために、呼を設定する際に、映像呼び出しサーバ１７はＨ．２４５で処理される所定の値を能力ネゴシエーション（ｃａｐａｂｉｌｉｔｙ  ｎｅｇｏｔｉａｔｉｏｎ）として使用する。
【００５１】
本発明では、２つのマルチメディア処理方法が使用される。
【００５２】
第１に、３Ｇ−３２４Ｍとインターフェースするために、ユーザによって格納されたマルチメディアデータがビデオストリームとスピーチストリームとに分割され、映像呼び出しサーバ１７に格納され、その後送信側移動局１１に伝送される。
【００５３】
次に、マルチメディアデータがファイル形式として映像呼び出しサーバ１７に格納され、送信側移動局１１に伝送される。
【００５４】
映像呼び出しサーバ１７は、３Ｇ−３２４Ｍを処理するためのプログラムと、それぞれのユーザに関するマルチメディアデータを格納するためのデータベースとを含む。格納されたマルチメディアデータのデータ構造が図４に示されている。
【００５５】
映像呼び出しサーバ１７に格納されるマルチメディアデータは、ファイルヘッダ、ビデオストリーム、及びスピーチストリームを含む。ファイルヘッダは、ビデオコーデック（例えばＨ．２６３）、スピーチコーデック（例えばＡＭＲ）、マルチメディアデータの長さ、ビデオ画像の解像度（例えばＱＣＩＦ）、スピーチコードサンプリングレート（例えば６３ｋｂｐｓ）、及び最初の格納日に関する情報を含む。
【００５６】
図４に示されているようなデータ構造の使用には、移動局の修正を伴わずにデータが処理され得るという利点があるが、映像呼び出しサーバ１７内でマルチメディアデータが相互に交換され得ないという欠点もある。言い換えると、インターネット内でマルチメディアコンテンツを編集又は伝送する場合、汎用オーサリングツールの代わりに所定のツールが使用されなければならない。
【００５７】
これに反して、インターネット又は国際的なファイル形式の使用は、マルチメディアコンテンツの容易なオーサリング及び伝送を可能にする。しかしながら、ファイル形式を有するマルチメディアコンテンツは通常の３Ｇ−３２４Ｍの呼ではないため、移動局は、ファイル形式を有するマルチメディアコンテンツを通常の３Ｇ−３２４Ｍの呼に変換するためのソフトウェアブロックを備えていなければならない。また、Ｈ．２４５信号方式プロトコルはファイル形式を認識し、ファイル形式を有するマルチメディアコンテンツを再生することが可能であり、これはパラメータを修正することで容易に実施できる。
【００５８】
本発明で定義されるファイル形式が図５に示されており、３ＧＰＰ規格と相互に交換可能である。
【００５９】
ＭＰ４ファイル形式と３ＧＰＰのパケットストリーミングサービス（ＰＳＳ）で定義された３ＧＰファイル形式とが使用され得る。３ＧＰはＶＯＤファイル形式と交換可能であるため、コンテンツは容易に編集され得る。
【００６０】
３ＧＰＰによって定義された３Ｇ−３２４Ｍ、パケットネットワークによって定義されたＨ．３２３、３ＧＰＰ２によって定義された３ＧＣＦ、及び３ＧＰＰのＳＩＰマルチメディア電話方式とインターフェースするために、マルチメディア用にＨ．２６３及びＧ．７２３．１が使用されてもよく、ＭＰ４ファイル形式が使用され得る。
【００６１】
図６は、本発明の一実施形態に係る映像呼び出し方法を説明するフローチャートである。
【００６２】
図に示されるように、送信側移動局１１と受信側移動局１８との間にテレビ電話セッションがオープンされる前に、受信側移動局（着呼側）によって定義されたマルチメディア情報が、３Ｇ−３２４Ｍ規格に基づいて送信側移動局に伝送される。
【００６３】
コンテンツ提供サーバ２０は、ウェブサーバ２１、ＷＡＰサーバ２２、及びＡＲＳ２３を介して、着呼側を映像呼び出しサーバ１７にアクセスさせる。その後、着呼側が、電話呼び出しを受信した際に、呼送信側移動局１１の画面上に表示される映像コンテンツを着呼側に選択させる。選択された映像は後に更新され得る。
【００６４】
着呼側が、インターネット上の映像呼び出しサービスに使用するコンテンツを選択及び決定するために、ウェブサーバ２１が使用される。着呼側が、無線データから映像呼び出しサービス用に使用するコンテンツを選択するために、ＷＡＰサーバ２２が使用される。着呼側が、有線ＡＲＳから映像呼び出しサービス用に使用するコンテンツを選択するために、ＡＲＳ２３が使用される。
【００６５】
着呼側が、着信呼び出し中に呼送信側移動局１１の画面に映像を伝送したい場合、着呼側は、インターネット、又は呼受信側移動局１８若しくはユーザ端末１９を備える非同期無線通信ネットワークを介して映像呼び出しサーバ１７にアクセスすることにより、呼送信側移動局１１に伝送される所望の映像を設定すること、又は事前に設定された映像を更新することができる。インターネットを介したアクセスは、ウェブサーバ２１、ＷＡＰサーバ２２、及びＡＲＳ２３を利用する多くの方法を含む。
【００６６】
映像呼び出しサービスを提供するために、着信呼び出し中に呼送信側移動局１１に映像を伝送したい呼び出しサーバは、非同期無線通信ネットワーク、又は呼受信側移動局１８若しくはユーザ端末１９を備えるインターネットを介して、映像呼び出しサーバ１７にアクセスし、呼送信側移動局１１に伝送されるべき所望の映像をあらかじめ設定する。ウェブサーバ２１、ＷＡＰサーバ２２、及びＡＲＳ２３を利用するインターネットアクセスに多くの方法があることは明白である。
【００６７】
その後、ステップＳ６０１及びＳ６０２において、呼送信側移動局１１は呼受信側移動局１８に呼を伝送する。ステップＳ６０３において、ＭＳＣは加入者の位置情報及び任意の付加価値サービスがＨＬＲ１４に加入しているか否かを問い合わせる。
【００６８】
ステップＳ６０４において、ＭＳＣは、着呼側が映像呼び出しサービスに登録されていることを確認し、ステップＳ６０５において映像呼び出しサーバ１７への３Ｇ−３２４Ｍの呼を設定し、３Ｇ−３２４Ｍの呼用のデータチャネルを移動局１１に割り当てる。
【００６９】
映像呼び出しサーバ１７と移動局との間に３Ｇ−３２４Ｍテレビ電話の呼が確立されると、３Ｇ−３２４Ｍテレビ電話呼用のデータチャネルが割り当てられ、ステップＳ６０７において映像呼び出しサービスサーバ１７は所定の映像を移動局１１に伝送する。ステップＳ６０８において、ＭＳは映像をデコードして復元された映像データを生成し、復元された映像データをディスプレイユニット上に表示する。
【００７０】
ステップＳ６０９において、送信側ＭＳＣは受信側ＭＳＣへの３Ｇ−３２４Ｍテレビ電話の呼を設定し、ステップＳ６１０において、受信側ＭＳＣは受信側ＭＳに３Ｇ−３２４Ｍテレビ電話呼用のデータチャネルの割り当てを要求する。テレビ電話呼用のセッションが形成されると、ステップＳ６１１において、送信側ＭＳＣと映像呼び出しサーバ１７との間の３Ｇ−３２４Ｍテレビ電話呼が解除される。後続の手順は３Ｇ−３２４Ｍテレビ電話呼の通常の通信呼び出し処理と同じであるため、本明細書ではこれ以上説明しない。
【００７１】
着呼側が、音楽等の事前に設定された音データをあらかじめ有する場合、着信呼び出し中に映像と共に音データを伝送することができる。即ち、映像呼び出しサービスと音呼び出しサービスとの両方を同時に提供することができる。
【００７２】
呼び出し音楽が事前に設定されていない場合、呼送信側移動局１１の画面には映像のみが表示されるか、又は呼送信側移動局１１は、伝送された映像と共に、それ自体の中にある標準の音楽を提供してもよい。呼送信側移動局１１の画面上に表示された映像は、会話が開始される際に自動的に消去されるか、又は会話の終了まで表示されてもよい。着信呼び出し中に伝送された映像もまた、呼送信側移動局１１のメモリに格納され得るため、再度表示され得るか、又は他の移動局にいつでも伝送され得る。
【００７３】
図７は、映像呼び出し方法を説明するフローチャートである。コンテンツ提供サーバ２０は、ウェブサーバ２１、ＷＡＰサーバ２２、及びＡＲＳ２３を介して、着呼側を映像呼び出しサーバ１７にアクセスさせる。その後、着呼側が、電話呼び出しを受信した際に、呼送信側移動局１１の画面上に表示される映像コンテンツを着呼側に選択させる。選択された映像は後に更新され得る。
【００７４】
着呼側が、インターネット上の映像呼び出しサービスに使用するコンテンツを選択及び決定するために、ウェブサーバ２１が使用される。着呼側が、無線データから映像呼び出しサービス用に使用するコンテンツを選択するために、ＷＡＰサーバ２２が使用される。着呼側が、有線ＡＲＳから映像呼び出しサービス用に使用するコンテンツを選択するために、ＡＲＳ２３が使用される。
【００７５】
着呼側が、着信呼び出し中に呼送信側移動局１１の画面に映像を伝送したい場合、着呼側は、インターネット、又は呼受信側移動局１８若しくはユーザ端末１９を備える非同期無線通信ネットワークを介して映像呼び出しサーバ１７にアクセスすることにより、呼送信側移動局１１に伝送される所望の映像を設定すること、又は事前に設定された映像を更新することができる。インターネットを介したアクセスは、ウェブサーバ２１、ＷＡＰサーバ２２、及びＡＲＳ２３を利用する多くの方法を含む。
【００７６】
映像呼び出しサービスを提供するために、着信呼び出し中に呼送信側移動局１１に映像を伝送したい呼び出しサーバは、非同期無線通信ネットワーク、又は呼受信側移動局１８若しくはユーザ端末１９を備えるインターネットを介して、映像呼び出しサーバ１７にアクセスし、呼送信側移動局１１に伝送されるべき所望の映像をあらかじめ設定する。ウェブサーバ２１、ＷＡＰサーバ２２、及びＡＲＳ２３を利用するインターネットアクセスに多くの方法があることは明白である。
【００７７】
その後、ステップＳ７０１及びＳ７０２において、呼送信側移動局１１は呼受信側移動局１８に呼を伝送する。ステップＳ７０３において、ＭＳＣは加入者の位置情報及び任意の付加価値サービスがＨＬＲ１４に加入しているか否かを問い合わせる。
【００７８】
ステップＳ７０４において、ＭＳＣは、着呼側が映像呼び出しサービスに登録されていることを確認し、ステップＳ７０５においてＢＴＳにＳＶＤデータチャネルを割り当てるように要求する。その後ステップＳ７０６において、ＢＴＳはＳＶＤデータチャネル割り当て要求メッセージを呼送信側移動局１１に伝送し、ステップＳ７０７において、ＢＴＳはＳＧＳＮ／ＧＧＳＮ１６とのインターフェースを介してＳＶＤデータチャネルを割り当てる。ステップＳ７０８において、ＢＴＳはＳＶＤデータチャネル割り当てがうまく完了したことをＭＳＣに通知する。
【００７９】
ＢＴＳから呼送信側移動局１１に伝送されるＳＶＤデータチャネル割り当て要求メッセージは、着信呼び出し中に映像が伝送されることを、ＳＶＤの開始を通知してチャネルを確立するＥＣＡＭの特定のフィールドに通知する。その後、呼送信側移動局１１はＥＣＡＭの特定のフィールドを確認し、それによって着信呼び出し中に映像が伝送されることを通知され、あらかじめビデオデコーダを起動する。
【００８０】
ステップＳ７０９において、映像を伝送するためのＳＶＤデータチャネルが呼送信側移動局１１に割り当てられると、ＭＳＣは、着呼側によって事前に決定された映像を伝送するよう映像呼び出しサーバ１７に要求する。ステップＳ７１０において、映像呼び出しサーバ１７は所定の映像をＳＧＳＮ／ＧＧＳＮ１６に伝送する。
【００８１】
ステップＳ７１１において、ＳＧＳＮ／ＧＧＳＮ１６は映像呼び出しサーバ１７から映像を受信し、ネットワーク同期化に基づいてＢＴＳとのセッションを形成することにより、これをＢＴＳへ伝送する。その後、ステップＳ７１２において、ＢＴＳはＳＧＳＮ／ＧＧＳＮ１６から映像を受信し、これを呼送信側移動局１１へ伝送する。ステップＳ７１３において、呼送信側移動局１１はＢＴＳから映像を受信し、これをデコードしてその画面上に出力する。後続の手順は通常の通信呼び出し処理と同じであるため、本明細書ではこれ以上説明しない。
【００８２】
着呼側が、音楽等の事前に設定された音データをあらかじめ有する場合、着信呼び出し中に映像と共に音データを伝送することができる。即ち、映像呼び出しサービスと音呼び出しサービスとの両方を同時に提供することができる。
【００８３】
呼び出し音楽が事前に設定されていない場合、呼送信側移動局１１の画面には映像のみが表示されるか、又は呼送信側移動局１１は、伝送された映像と共に、それ自体の中にある標準の音楽を提供してもよい。呼送信側移動局１１の画面上に表示された映像は、会話が開始される際に自動的に消去されるか、又は会話の終了まで表示されてもよい。着信呼び出し中に伝送された映像もまた、呼送信側移動局１１のメモリに格納され得るため、再度表示され得るか、又は他の移動局にいつでも伝送され得る。
【００８４】
本発明の映像呼び出し方法はプログラムとして具現化され、ＣＤ−ＲＯＭ、ＲＡＭ、ＲＯＭ、フロッピーディスク、ハードディスク、及び光磁気ディスク等のコンピュータ読み取り可能な記録媒体に格納され得る。
【００８５】
さらに本発明の技術は、着呼側の一部における有効な広告手段として使用され得る。着呼側は、例えば企業広告及び展示会若しくはフェアへの招待等の公開情報を映像又は音声データの形式で提示し、それらを呼送信側移動局に伝送することができる。
【００８６】
以上、本発明について特定の好ましい実施形態に関して説明してきたが、当業者であれば、添付の特許請求の範囲に定められている本発明の範囲を逸脱することなく様々な変更及び修正が成され得ることは明らかである。
【図面の簡単な説明】
【００８７】
【図１】本発明が適用される非同期無線通信システムを示す例示的なブロック図である。
【図２】本発明が適用される３Ｇ−３２４Ｍテレビ電話システムを示すブロック図である。
【図３】本発明が適用される３Ｇ−３２４Ｍテレビ電話の設定方法を示すフローチャートである。
【図４】映像呼び出しサービス用のマルチメディアデータを示す図である。
【図５】ＭＰ４ファイルフォーマット化方法を示す図である。
【図６】本発明の一実施形態に係る映像呼び出し方法を説明するフローチャートである。
【図７】本発明の一実施形態に係る映像呼び出し方法を説明するフローチャートである。
【図１】
2006523068.tif 000003
【図２】
2006523068.tif 000004
【図３】
2006523068.tif 000005
【図４】
2006523068.tif 000006
【図５】
2006523068.tif 000007
【図６】
2006523068.tif 000008
【図７】
2006523068.tif 000009
【国際調査報告】
2006523068.tif 000010
2006523068.tif 000011